(57)【要約】【課題】し渣破砕機などの水路設置物に対し、簡易な構造でその上流側における沈砂の溜まりを防止でき、砂の可動機構部への影響を解消し得る水路設置物に対する砂溜まりの防止構造を提供する。【解決手段】し渣破砕機１の上流側において水路の底部寄りに設置される沈砂透過用のスクリーン６と、し渣破砕機１の下方に形成され、スクリーン６とし渣破砕機１の下流側とを連通するバイパス路７と、を備え、沈砂をスクリーン６およびバイパス路７を介して下流側に流す構成とした。【選択図】      図６
2006152599.tif 000002
【特許請求の範囲】
【請求項１】
水流に対して抵抗体となり、水面下に可動機構部を備えた水路設置物に対し、その上流側における沈砂の溜まりを防止する構造であって、
前記水路設置物の上流側において水路の底部寄りに設置される沈砂透過用のスクリーンと、
前記水路設置物の下方に形成され、前記スクリーンと前記水路設置物の下流側とを連通するバイパス路と、を備え、
沈砂を前記スクリーンおよび前記バイパス路を介して下流側に流す構成としたことを特徴とする水路設置物に対する砂溜まりの防止構造。
【請求項２】
前記水路設置物は、刃の摺接によりし渣を破砕するし渣破砕機からなり、前記スクリーンは、水流方向に沿い、底部に沈砂の透過孔が形成された複数のガイド溝を有していることを特徴とする請求項１に記載の水路設置物に対する砂溜まりの防止構造。
【請求項３】
前記スクリーンは、前記ガイド溝をＶ溝とするアングル材の並設からなる請求項２に記載の水路設置物に対する砂溜まりの防止構造。
【発明の詳細な説明】
【技術分野】
【０００１】
本発明は、水流に対して抵抗体となり、水面下に可動機構部を備えた水路設置物に対し、その上流側における沈砂の溜まりを防止する構造に関するものである。
【背景技術】
【０００２】
前記水路設置物の一例として、汚水路に設置されるし渣破砕機が挙げられる（例えば、特許文献１参照）。同文献に記載のし渣破砕機は、内回転体と、この内回転体の外側に設けられる外胴体とを備えており、内回転体を回転させ、両者間で刃を摺接させることで、し渣を破砕する構造である。
【特許文献１】特開２００４−４９９４４号公報（段落００１２、図１）
【発明の開示】
【発明が解決しようとする課題】
【０００３】
前記し渣破砕機は水流に対して抵抗体となり、その際、汚水中に含まれる砂の一部は、し渣破砕機に遮られて下流側に流れず、し渣破砕機の手前の水路底部に沈砂として溜まる場合がある。そして、この沈砂がある程度まで堆積すると、水流の影響やし渣からの巻き上げにより、まとまった量の沈砂が一度にし渣破砕機に流入し、この砂の噛み込みにより刃の磨耗度に影響がでるおそれがある。
【０００４】
本発明は、以上のような課題を解決するために創作されたものであり、し渣破砕機などの可動機構部を備えた水路設置物に対し、簡易な構造でその上流側における沈砂の溜まりを防止でき、砂の可動機構部への影響を解消し得る水路設置物に対する砂溜まりの防止構造を提供することを目的としている。
【課題を解決するための手段】
【０００５】
前記課題を解決するため、本発明は、水流に対して抵抗体となり、水面下に可動機構部を備えた水路設置物に対し、その上流側における沈砂の溜まりを防止する構造であって、前記水路設置物の上流側において水路の底部寄りに設置される沈砂透過用のスクリーンと、前記水路設置物の下方に形成され、前記スクリーンと前記水路設置物の下流側とを連通するバイパス路と、を備え、沈砂を前記スクリーンおよび前記バイパス路を介して下流側に流す構成としたことを特徴とする水路設置物に対する砂溜まりの防止構造とした。
【０００６】
この構造によれば、水路設置物に対して沈砂を迂回させて下流側に流すことができるので、水路設置物の手前で沈砂が溜まることがなく、この沈砂に起因する可動機構部への影響の問題が解消される。また、簡易な構造で済むため、経済的な砂溜まりの防止構造となる。
【０００７】
また、本発明では、前記水路設置物は、刃の摺接によりし渣を破砕するし渣破砕機からなり、前記スクリーンは、水流方向に沿い、底部に沈砂の透過孔が形成された複数のガイド溝を有していることを特徴とする水路設置物に対する砂溜まりの防止構造とした。
【０００８】
この構造によれば、し渣をガイド溝に沿って効率的にし渣破砕機まで移動させることができ、ガイド溝内の沈砂は透過孔を通って沈降するので、ガイド溝内での沈砂の堆積を防止できる。
【０００９】
また、本発明では、前記スクリーンは、前記ガイド溝をＶ溝とするアングル材の並設からなる水路設置物に対する砂溜まりの防止構造とした。
【００１０】
この構造によれば、経済的で組み付けの容易なスクリーン構造となる。また、ガイド溝がＶ溝として形成されることで、砂がその傾斜面に沿って効率的に溝の底部まで案内されて透過孔から落下する。
【発明の効果】
【００１１】
本発明によれば、し渣破砕機などの可動機構部を備えた水路設置物に対し、簡易な構造でその上流側における沈砂の溜まりを防止でき、もって砂の可動機構部への影響を解消し得る。
【発明を実施するための最良の形態】
【００１２】
「水流に対して抵抗体となり、水面下に可動機構部を備えた水路設置物」の例として、汚水路に設置されるし渣破砕機とした場合について以下に説明する。図１は、し渣破砕機の正面図、図２は、し渣破砕機および本発明に係る砂溜まりの防止構造を示す側面図、図３は図２におけるＡ−Ａ断面図である。
【００１３】
図１において、し渣破砕機１は架台９を介して矩形断面の水路に縦置きに設置され、水路との間には適宜にモルタル部が形成される。本発明においては、その破砕部に関する具体的な構造については特に限定するものではなく、図では前記特許文献１に記載のし渣破砕機と同様のものを図示しており、螺旋状に巻回したスクリュー羽根２を有する内回転体３と、この内回転体３の半径方向外側に設けられ、スクリュー羽根２の螺旋刃２ａの摺接面を構成する外胴体４と、を備えている。し渣破砕機１と水路の両側壁との間は側板５（図３も参照）によって閉塞されており、水は全てし渣破砕機１の破砕部に流入する。そして、駆動モータＭにより内回転体３が回転し、螺旋刃２ａが外胴体４に対して摺接することで、水中のし渣が破砕され、下流側に流れる。
【００１４】
このとき、水中にほぼ均一に分布している砂がそのままし渣破砕機１に流入する分については然程問題はないのであるが、砂の一部が、し渣破砕機１に遮られてその手前の水路底部に沈砂として溜まり、この堆積した沈砂がまとまった量で一度にし渣破砕機１に流入した場合、その砂の噛み込みにより刃の磨耗度に影響がでるおそれがあるという問題については既述した通りである。
【００１５】
これに対し本発明は、図２に示すように、し渣破砕機１の上流側において水路の底部寄りに設置される沈砂透過用のスクリーン６と、し渣破砕機１の下方に形成され、スクリーン６とし渣破砕機１の下流側とを連通するバイパス路７と、を備え、沈砂をスクリーン６およびバイパス路７を介して下流側に流す構成としたことを主な特徴とする。
【００１６】
し渣破砕機１は、その底部を形成するディスク部材８が水路の底部から離間されたうえで、図３に示すように、その外胴体４が水路に鉛直状に立設された架台９（９Ａ）に固設されており、したがって、ディスク部材８の底面と水路の底部との間の空間が図２に示すバイパス路７を構成する。
【００１７】
スクリーン６は、沈砂のみを透過させて、し渣の流入を防止する機能を有していればよく、例えば汎用品としてスクリーン目が網目状に形成されたパンチングメタル材などを使用することができるが、本実施形態では、スクリーン６として、水流方向に沿い、底部に沈砂の透過孔１０が形成された複数のガイド溝１１を有する構成のものとし、具体的にはＬ型鋼であるアングル材１２を水路幅方向に並設させた構成としている。
【００１８】
図４は図３におけるＢ矢視図、図５（ａ）は図３におけるＣ−Ｃ断面図、図６はスクリーン６周りの斜視図であり、図３〜図６を適宜に参照してスクリーン６について説明すると、スクリーン６は、水平状に、かつ開口側を上方として、いわゆる上方に臨むＶ溝を形成するようにして、水路幅方向に並設された複数（本実施形態では１０本）のアングル材１２を本体としている。各アングル材１２同士の連結については、各上流端部が、水路幅方向に沿って延設されたフレーム材１３に固設されるとともに、両端の２本ずつのアングル材１２が延設方向中程の底部で連結板１４に固設され、中央の８本のアングル材１２が延設方向中程（両端のアングル材１２については延設方向下流寄り）の底部で連結板１５に固設されており、これにより、複数のアングル材１２は一体のスクリーン６を構成する。なお、各アングル材１２の長さおよびその下流端部の形状については、側板５やし渣破砕機１の形状に合わせて、これらと干渉しないように構成されている。
【００１９】
前記フレーム材１３には、水路幅方向に間隔をおいて３つの長孔１３ａが穿設されている。水路の底部には、図６に示すように、水路幅方向に延設された鉛直状の取り付け板１６が立設されており、その上フランジ部１６ａにフレーム材１３があてがわれ、長孔１３ａ（および上フランジ部１６ａに形成された図示しない孔）を介して、図示しないボルトおよびナットで締結固定される。また、図３に示すように、中央の６本のアングル材１２については、その延設方向下流寄りの底部において、水路幅方向に延設され、２つの長孔１７ａが穿設されたフレーム材１７（図６では図示せず）に固設されている。このフレーム材１７は、左右の側板５間に掛け渡した図示しない取り付けブラケットに対して、長孔１７ａを介して図示しないボルトおよびナットで締結固定される。以上のフレーム材１３、１７における締結固定により、複数のアングル材１２からなるスクリーン６は、水路に対し、その底部から適宜な距離をおいて水平状に固定される。
【００２０】
各アングル材１２の底部には、その延設方向に長手の長孔からなる透過孔１０が、延設方向に間隔をおいて複数穿設されている。この透過孔１０はガイド溝１１内における砂の堆積を防止する。また、隣接し合うアングル材１２同士は、図５（ａ）に示すように、上端において隙間Ｓを形成するように位置している。
【００２１】
本実施形態の砂溜まりの防止構造は以上の構成からなり、水中に含まれる砂の一部がし渣破砕機１に当たって沈降すると、その沈砂はスクリーン６の隙間Ｓおよび透過孔１０を通過し、図２に示すように、スクリーン６と連通するバイパス路７を通過して下流側へと流れる。このように、し渣破砕機１の上流側において水路の底部寄りに設置される沈砂透過用のスクリーン６と、し渣破砕機１の下方に形成され、スクリーン６とし渣破砕機１の下流側とを連通するバイパス路７と、を備え、沈砂をスクリーン６およびバイパス路７を介して下流側に流す構成とすれば、し渣破砕機１に対して沈砂を迂回させて下流側に流すことができるので、し渣破砕機１の手前で沈砂が溜まることがなく、この沈砂に起因する破砕刃の砂の噛み込みの問題が解消される。また、簡易な構造で済むため、経済的な砂溜まりの防止構造となる。
【００２２】
また、スクリーン６として、図３等に示すように、水流方向に沿い、底部に沈砂の透過孔１０が形成された複数のガイド溝１１を有する構成とすれば、し渣をガイド溝１１に沿って効率的にし渣破砕機１まで移動させることができ、ガイド溝１１内の沈砂は透過孔１０を通って沈降するので、ガイド溝１１内での沈砂の堆積を防止できる。
【００２３】
さらに、スクリーン６として、ガイド溝１１をＶ溝とするアングル材１２の並設からなる構成とすれば、経済的で組み付けの容易なスクリーン構造となる。また、ガイド溝１１がＶ溝として形成されることで、砂がその傾斜面に沿って効率的に溝の底部まで案内され、透過孔１０から落下することとなる。また、図５（ａ）に示すように、隙間Ｓがアングル材１２の上端側に形成されているので、多量の砂が流れてきても、下方の広がり形状によりスクリーン６（隙間Ｓ）の砂の目詰まりが発生しにくい。
【００２４】
以上、本発明の好適な実施形態について説明した。スクリーン６において、水質等によっては、アングル材１２を互いに接触させて並設させる構成、つまり図５（ａ）に示す隙間Ｓを設けない構成としても良い。また、アングル材１２を用いたスクリーン６の構造としては、図５（ｂ）に示すように、アングル材１２をその開口側を下方に向けて設置することも可能である。この場合には、ガイド溝１１が、隣接し合うアングル材１２の傾斜面によって形成されることとなり、し渣はそのガイド溝１１に沿って効率的にし渣破砕機１まで移動し、ガイド溝１１に沈降した砂は、隣接し合うアングル材１２の下端の隙間Ｓを通って沈降する。この場合、アングル材１２自体に透過孔１０を設けなくても良い。この図５（ｂ）の場合には、隙間Ｓが請求項に記載の透過孔に相当する。
【００２５】
また、本発明の対象となる「水路設置物」とは、し渣破砕機１に限られず、砂の影響を受ける可動機構部を有しているものであればこれに含まれる。その他、本発明は、図面に記載されたものに限定されず、各構成要素に関するレイアウトや形状、個数等については適宜に変更が可能である。
【図面の簡単な説明】
【００２６】
【図１】し渣破砕機の正面図である。
【図２】し渣破砕機および本発明に係る砂溜まりの防止構造を示す側面図である。
【図３】図２におけるＡ−Ａ断面図である。
【図４】図３におけるＢ矢視図である。
【図５】（ａ）は図３におけるＣ−Ｃ断面図、（ｂ）はアングル材を用いたスクリーンの変形例を示す断面説明図である。
【図６】スクリーン周りの斜視図である。
【符号の説明】
【００２７】
１      し渣破砕機（水路設置物）
６      スクリーン
７      バイパス路
１０    透過孔
１１    ガイド溝
１２    アングル材
【図１】
2006152599.tif 000003
【図２】
2006152599.tif 000004
【図３】
2006152599.tif 000005
【図４】
2006152599.tif 000006
【図５】
2006152599.tif 000007
【図６】
2006152599.tif 000008